(57)【特許請求の範囲】
【請求項１】
床面に置くことが出来るように形成された台座と、一端が上記台座に支持され、他端が上記床面から上方に向かって立ち上げされた支柱と、上記支柱の他端側において、横方向に向けて上記支柱に支持されたストップ棒と、一端が上記支柱の中間に支持され、他端が上記ストップ棒と同方向でかつ斜め下に向かって延長された保持部材と、上記保持部材の先端に設けた引止具とを備えてなるドアストッパー。
【請求項２】
ストップ棒が支柱の他端側に回動出来るように支持すると共に、保持部材の先端の引止具の床面からの高さ位置を可変出来るように支持したことを特徴とする請求項１記載のドアストッパー。
【請求項３】
支柱の中間から保持部材の先端に設けた引止具までの長さを調節出来るようにしたことを特徴とする請求項１または２記載のドアストッパー。
【発明の詳細な説明】
【０００１】
【発明が属する技術分野】
本発明は、ドアを開いたままの状態に保持するために用いるドアストッパーの改良に関するものである。
【０００２】
【従来の技術】
ドアストッパーはドアを開いたままの状態に保持するもので、ドア下部と床の間に挟み込む傾斜面を有するものや、ドア面に本体をねじ等で固定設置し、そこからドアを開いたまま止める棒状の足を出して床面をとらえ摩擦でドアを固定するもので、いずれもドアの閉まる方向のドア面の前面に位置するものであった。それらのドアストッパーの原理はドアに設置され、その前面に押す力を受け止め、その力をドアストッパー自体を床面に押しつける力に変えその床面との摩擦力を増大させることによりドアの動きを止め、ドアを開いたままの状態に保持するものである。
【０００３】
また、ドアの閉まる方向のドア前面とは逆の面、つまりドアの裏面とそれに対峙する壁もしくは床面にそれぞれ鍵と輪をついになるようにねじ等で固定設置し、ドアを引っかけてドアを牽引する構成のものがあった。
【発明が解決しようとする課題】
【０００４】
しかし、前述のその構成ではドアの閉まる方向前面に位置しているため、出入りする通行者の眼につきやすく、美観を損ねるという欠点があった。後述の鍵と輪でドアの閉まる方向のドア面の裏面でドアを牽引する構成では、前面を通る通行者の眼に付きにくいが鍵と輪が固定設置されているためドアの開けて置く幅は常に一定であり任意の幅に調節するのが困難である。しかもドアの開閉の力で鍵と輪が容易にはずれてしまわないようにしっかりと固定設置する必要があるため、ねじ、ボルト等でドア面と床面、あるいは壁面に設置する場合が多く、それらがコンクリートや鉄のような固い材質で形成されていると、容易に設置出来なかった。また固定設置されているため取り外しが出来にくく、使用外のときは掃除等の邪魔になるほか、傷つけては困るような高価なドアや床面には取り付けるのを躊躇しがちであった。
【０００５】
本発明はそれらの欠点を克服したドアストッパーを得ることを目的とする。すなわち、ドアの閉まる方向前面のドア面とは逆の面にあってドアを開いたまま保持することが可能で前面の通行者の視界に入りにくく目立たない。しかもドア面や床面、対峙する壁面にねじ等で固定設置することなく傷つけない。またドアを任意の幅に開いたままにする事が出来、取り外しが容易なドアストッパーを提供することを目的としている。
【０００６】
【課題を解決するための手段】
本発明のドアストッパーは、床面に置くことが出来るように形成された台座と、一端が上記台座に支持され他端が床面から上方に向かって立ち上げされた支柱と、上記支柱の他端側において、横方向に向けて上記支柱に支持されたストップ棒と、一端が上記支柱の中間に支持され、他端が上記ストップ棒と同方向で、かつ、斜め下に向かって延長された保持部材と、上記保持部材の先端に設けた引止具とを備えたものである。
【０００７】
段落番号０００６に記載のドアストッパーのストップ棒を支柱の他端側に回動出来るように支持すると共に、保持部材の先端の引止具の床面からの高さ位置を可変出来るように支持する構成が好ましい。
【０００８】
段落番号０００６に記載のドアストッパーの支柱の中間から保持部材の先端に設けた引止具までの長さを調節出来るようにするのも効果的である  。
【０００９】
さらにドアストッパー の外周を覆う事が出来るように形成された収納部を設けた装飾具をドアストッパーに被せること、により外観が美しいドアストッパーが得られる。
【００１０】
【発明の実施の形態】
（実施の形態１）
以下添付図面に従って一実施例を説明する。まず本発明のドアストッパーの原理である。図１、２、３、４、において、１は台座で床面に置くことが出来るように形成する。２は支柱で台座１に一端を垂直に立ち上がるように支持する。３はストップ棒で支柱２の他端に一端を支持し床面にほぼ平行な横方向に他端を延長させるのが望ましい。４は保持棒でその一端は支柱２の中程に支持し、他端には引止具５を設ける。６はドアであり、図はその横断面を示す。７は床であり図は横断面を示す。１ａは台座１の底面、３ａはストップ棒３の先端部、５ａは引止具５の先端にあってドアを係止する鍵部である。寸法３Ｌはストップ棒３の長さ、寸法４Ｌは保持棒４の長さ、寸法５Ｌは引止具５の先端の鍵５ａから、後述の接続点Ｔまでの長さである。寸法６Ｌはドアの厚さを示す。寸法Ｓ１は引止具５と台座１の底面１ａとの高低差の距離。寸法Ｓ２は床面とドアの隙間寸法。Ｔは保持棒４と引止具５の接続点である。Ａはドアの閉まる方向を示す矢印。Ｂ、Ｃ、Ｄ、Ｆ、Ｇ、Ｈはドアストッパーにかかる力の方向を示す矢印である。Ｅはストップ棒の先端３ａとドア６の接点である。角度Ｖは保持棒４と支柱２の間の角度である。
【００１１】
図１において、本発明のドアストッパーの保持棒４とストップ棒５の接続点Ｔがストップ棒３の先端３ａの垂直真下に来るように保持棒４の角度Ｖを設定する。また保持棒４の長さを調節し、台座１の底面１ａと引止具５の上面との高低差の距離Ｓ１を図２のドア６と床面７の隙間寸法Ｓ２と同じ距離にする。また引止具５の先端の鍵部５ａから接点Ｔまでの長さ５Ｌを図２のドア６の厚さの幅寸法６Ｌと同じ長さに形成する。
【００１２】次に図２において、まずドア６を開いた状態に保持しておく。そうして図１のように形成した本体全体をドア６の閉まる方向Ａに面するドア面とは逆の面に置く。次にドア６の開いた一端より鍵部５ａを本体とは逆のドア６の外の面に出し図２において紙面の表面から裏面の方向に本体全体とともに引き止め具５をスライドさせる。こうしてドアストッパーの引止具５を、Ｓ２の寸法を持つドア６と床７の隙間に差込、引止具５の先端の鍵部５ａをドア６に引っ掛ける。そうしてストップ棒３の先端３ａをドア６に密着させその接点をＥ点とする。
【００１３】
上述の状態でドア６の動きを解放するとドア６は矢印Ａ方向に閉まろうとする力を持つ。その力は引止具５にそのまま伝わり、保持棒４を矢印Ｂ方向に引っ張り、その力は保持棒４が支柱２に支持されていることにより支柱２を伝わり台座１を床面に押しつける矢印Ｃ方向の力と支柱２を矢印Ａ方向に倒そうとする矢印Ｄ方向の力に分力される。
【００１４】
支柱２を矢印Ａ方向にに倒そうとする矢印Ｄ方向の力はストップ棒３を伝わる。しかしその力はストップ棒３の先端３ａとドアとの接点Ｅが密着固定されていることにより支柱２をＡ方向に倒す力とならず、反作用のＦ方向の力となってストップ棒３を伝わり、支柱２を下方に伝わるＧ方向の力となり台座１を床７に押しつける。
【００１５】
以上述べたように、ドア６のＡ方向に閉まろうとする力は、矢印Ｇ方向とＣ方向の支柱２を下方に伝わり台座１を床７に押しつける二つの力に変換される。そのことにより床７と台座１の底面１ａとの摩擦力が増大し、ドア６の矢印Ａ方向に閉まろうとする力に抗する矢印Ｈ方向の力が生じ、ドア６は係止される。
【００１６】
図３は、保持棒４と支柱２の間の角度Ｖが図１、２より狭く、保持棒４の長さ４Ｌが図１、２より短く、引止具５の先端の鍵５ａから保持棒４との接続点Ｔまでの長さ５Ｌがドア６の厚さ寸法６Ｌより長くなっている。そして保持棒４と引止具５の接続点Ｔがストップ棒３の先端３ａを垂直真下に降ろした線より支柱２側に存在し支柱２が矢印Ｈ方向に傾いている。支柱２と台座１は支軸１ｂで接合されていて支柱２はＨ方向に傾くことが出来るようにする。しかし、この場合でも図２と同じような矢印の力が働いて、ドア６は係止可能となる。
【００１７】
図４は本発明のドアストッパーがドア係止機能を果たさなくなった例である。まず保持棒４と支柱２の間の角度Ｖが図１、２のそれより大きすぎる。また保持棒４の長さ４Ｌも図１、２のそれより長すぎる。また引止具５の先端の鍵５ａと接続点Ｔのまでの長さ５Ｌがドア６の厚さ寸法６Ｌより長くなっている。よってストップ棒３の先端３ａの垂直真下より前面に保持棒４と引止具５の接点Ｔがあるため、ストップ棒先端３ａがドア６とＥ点で接していない。よって支柱２を倒そうとする矢印Ｄ方向に抗ずる図２で示した矢印Ｆ方向の力が生じず、ドアストッパー全体が矢印Ａ方向に倒れ、ドア係止目的が果たせなくなっている。また、５Ｌが６Ｌより短くなるとドアストッパー自体がドア６に設置出来なくなるのは言うまでもない。
【００１８】
以上述べたように、本発明のドアストッパーがドア係止機能を果たすためには、保持棒４と引止具５の接点Ｔが図２のようにストップ棒３の先端３ａの垂直真下、あるいは図３のように内側にあることが必要である。そしてストップ棒の先端３ａとドア６が接するＥ点が存在すること、かつ支柱２が台座１及び床７に対して図２のように垂直もしくは図３のようにドア６の閉まる矢印Ａ方向とは逆方向に傾いていることが必要である。それらの必要条件は、角度Ｖの大きさ及び４Ｌ，５Ｌの長さの兼ね合いで達成される。
【００１９】
（実施の形態２）
現実のドアの床との間の隙間寸法Ｓ２や厚さ寸法６Ｌはさまざまである。よって実施の形態１の段落番号００１８の条件を満たすためには 本発明のドアストッパーの保持棒４と支柱２の間の角度Ｖの大きさと保持棒４の長さ４Ｌ、及び引止具５の先端の鍵５ａから保持棒４と引止具５の接続点Ｔまでの長さ５Ｌを自在に調節出来るようにならなければならない。またその場合、保持棒４の長さ寸法４Ｌと引止具５の先端の鍵部５aから保持棒４と引止具５の接続点Ｔまでの長さ５Ｌに重要なのは可視上の長さではなく力の伝わっていて機能している部位の長さである。以下、本ドアストッパーの現実上の実施例を述べる。
【００２０】
図５、図６において１は台座、２は支柱、３はストップ棒、４は保持棒、５は引止具である。いずれもドア係止のための大きな力がかかるため金属等の固くて強い材質で形成するのが望ましい。８はクッションでストップ棒３の先端に設置する。その役割は固いストップ棒３が直接ドア面に触れるさい、ドアが傷つくのを防ぐためである。
【００２１】
台座１は床面に安定して置けるよう、その底面１ａは広く水平に形成する。さらに底面１ａには摩擦力を増すように滑り止め等を設置するとなお良い。この台座１に支柱２の一端を支持して、支柱２を垂直に立ち上げる。本事例では、台座１に切れ込み１ｄを設け、その間に支柱２の一端を挿入し、支軸１ｂで両部位を貫通させることによってそれを成している。支軸１ｂを用いるのは支柱２を回動可能にするためである。そうすることで本ドアストッパーが支柱２を軸にドアに密着、離脱する動きに余裕が生じる事となる。また台座１内部の点線内斜線で示した１ｃ部分に切れ込みを入れずそのまま残しておく。そうすると支柱２の回動するさい、支柱２の下部である台座１内の点線で表した２ａ部分が台座内の１ｃ部分に接触するため、矢印Ｊ方向には回動できず矢印Ｋ方向のみに回動できることとなる。このことは実施の形態１で述べた図２及び図３で表した支柱２の状態を保つ事に役立つ。
【００２２】
支柱２の上方他端には切れ込み２ｄを刻設しストップ棒３を挿入して支軸２ｃで両部位を貫通してストップ棒３が回動出来るように支軸２に支持する。このとき切れ込み２ｄの切り口を床面に平行な水平の状態にしておくとストップ棒３の回動も１８０度に押さえられ、ドア６にストップ棒３の先端であるクッション８が接地するさいストップ棒３が床面に水平より下部に回動してクッション８がドアに接触せずにドアストッパーの設置に失敗することを防ぐことが出来る。
【００２３】
クッション８はストップ棒３の先端に設ける。図５ではクッション８の内部の縦線部分に切れ込みを入れ、そこにストップ棒３の先端を挿入し、支軸３ａでその両部位を貫通してその目的を達している。こうする事のより後述の本ドアストッパーをドアに設置、離脱する動作が容易となる。
【００２４】
支柱２の中間やや上方に保持棒４の一端を支軸２ｂで回動出来るように支持する。このように回動出来るようにすることにより保持棒４と支軸２の間の角度Ｖを自在に調節する事が出来る。保持棒４は中空の棒である４ａ部分とその内部に挿入された内密な棒である４ｂ部分とからなる。保持棒４ｂ内部を保持棒４ａが両矢印Ｎの方向にスライドして保持棒４全体の長さを変える事が出来る。
【００２５】
保持棒４ａに挿入されている保持棒４ｂを保持棒４ａ外部からスライドさせることが容易になるように保持棒４ｂにレバー１１を取り付け、レバー１１を保持棒４ａに開けられた窓４ｇより保持棒４ａの外部へ突出させる。こうすることによりレバー１１を持って保持棒４ａの外部からその中に挿入されている保持棒４ｂをスライドさせることが出来る。
【００２６】
上述のようにして、保持棒４ａ内部の保持棒４ｂを保持棒４全体が任意の長さになるようスライドさせた後、その動きを固定するためには、調節ねじ９を用いる。調節ねじ９は、保持棒４ａに設置されている内部にめねじを刻設した出っ張り４ｃの中に締め込まれる。出っ張り４ｃのめねじの穴は保持棒４ａの外から中空の内部まで貫通している。よって出っ張り４ｃに締め込まれた調節ねじ９の先端は保持棒４ａの中空の内部まで進入することができ、その先にある挿入されている保持棒４ｂの壁面に接触する。そのまま調節ねじ９を締め続けると保持棒４ｂを強く圧迫し、保持棒４ｂを保持棒４ａ内部の一方の壁に押しつける。保持棒４ｂは、調節ねじ９の先端と保持棒４ａ内部の壁との摩擦力のため、その動きは固定され、保持棒４全体の長さを固定する事ができる。また、調節ねじ９の先端の接触する保持棒４ｂの壁面に４ｄのような凹凸を刻設することにより、さらに調節ねじ９の先端による保持棒４ｂへの摩擦力が増し、より強く保持棒４ｂの動きは固定される。
【００２７】
保持棒４ｂの先端はくの字に下方に曲げられた、引止具５との接続部位４ｅを有し、その内部にめねじ４ｆを刻設する。引止具５には複数の穴５cが引止具５本体に沿って縦に開けられている。そしてその先端はドア下部に引っかけられドアを係止するために上側に曲げられた鍵である５ａを有する。引止具５は直接ドア下部に接するためドアを傷つけないよう上側表面にフェルト５ｂを貼るのが望ましい。引止具５を保持棒４に設置する手段として本事例では、まず引止具５の穴５cを保持棒４ｂの接続部位４ｅの下からあてがい、引止具５の穴５cの一つと接続部位のめねじの穴４ｆを合致させ、そして引止具５の下方より小ねじ１０を合致させた穴に締め込んで両者を合体させ固定し、接続する構成を採っている。
【００２８】
複数ある引止具５に開けられた穴５cの内どれを選択して保持棒４ｂに接続するのかは、ドア６の厚さ寸法６Ｌによって選択する。引止具５の先端の鍵５ａからドアの厚さ寸法６Ｌと等距離にある穴を選択する。そして先端の鍵５ａから引止具５と保持棒４の接点Ｔまでの長さ５Ｌがドアの厚さ寸法６Ｌと同じ長さにする。
【００２９】
次に上述のように構成したドアストッパーを実際にドアへ設置しドアを係止する手順を述べる。図５の状態において、まずあらかじめ使用するドア６の幅寸法６Ｌに合わせて段落番号００２８で述べたように、複数の穴５cの内、どれか一つを選択し、段落番号００２７で述べた手段で引止具５と保持棒４を接続する。
【００３０】
そして保持棒４を回動させ、保持棒４と引止具５の接続点Ｔがストップ棒３が床面に水平にあるときの先端８ａの垂直真下にあるような角度Ｖに設定する。このとき支軸２ｂを締め付ける等して角度Ｖの状態を保つよう保持棒４を固定設置する必要はない。ドアストッパーを設置後、ドア６のＡ方向に閉まろうとする力で角度Ｖは保たれるからである。ここでは保持棒４を角度Ｖに人力で保持しておく。そして保持棒４は、接続した引止具５がドアの隙間寸法に差込やすいような長さに伸ばしておく。
【００３１】
上述のまま、図７のように本発明のドアストッパーの引止具５をドア６と床７の隙間寸法Ｓ２の間に差込み、先端の鍵５ａをドア６の閉まる方向の面に引っかける。この作業はあらかじめドア６の運動を抑制しておき、ドア６のきれた端から引止具５の鍵５ａ部分のみドア６の閉まるＡ方向のドア面の前面に出しておき引止具５本体を隙間寸法Ｓ２に差し入れ、そののちドアストッパー全体を起立させたまま、ドア６のヒンジ等で繋がれた奥に向かって矢印Ｏ方向にすべらせながら行うのが容易である。そしてドアストッパーを、ドアを係止したい任意の位置に移動させる。
【００３２】
また、段落番号００３１で述べた作業は図７のようにストップ棒３とその先端に設置されたクッション８をそれぞれ矢印Ｒ方向、Ｐ方向のように上部に回動させて行うのが両部位ともドア６の面に接触せず容易である。
【００３３】
そののち段落番号００２４、００２５、００２６で述べた手段で保持棒４ｂを上にスライドさせて引止具５をドア６下部に密着させ、調節ねじ９を締めて保持棒４全体の長さ４Ｌを固定する。そうする事により、台座の底面１ａから引止具５の上面までの距離Ｓ１がドア６の隙間寸法Ｓ２と同じ距離となる。
【００３４】
そしてストップ棒３及びその先端のクッション８を矢印Ｑ方向に回動させ、図８のように両部位を床７に平行にして、ドア６にクッション８の先端８ａを密着させる。この状態でいままで抑制していたドア６の運動を解放するとドア６の矢印Ａ方向に閉まろうとする力が、段落番号００１３、００１４、００１５で述べたような経過をたどり、ドア６が本発明のドアストッパーで係止される。
【００３５】
本発明のドアストッパーをドア係止の使用を中止し、ドア６から取り外すには再びドア６の運動を抑制しておいてストップ棒３及びその先端のクッション８を図７の矢印Ｒ、Ｐ方向にそれぞれ回動させて上側に上げ、図７の矢印Ｏ方向とは逆の図８の矢印Ｕ方向にすべらせてドア６より取り外す。このような手段を採ると、いったん設定した保持棒４の長さ４Ｌと引止具５の先端の鍵５ａから保持棒４との接続点Ｔまでの長さ５Ｌを、同じ厚さ寸法６Ｌと隙間寸法Ｓ２を持つドアを係止するに際して変える必要はなくなる。
【００３６】
(実施の形態３）
また、保持手段４と引止具５の長さの調整をもっと簡単な手段で実施し易くする構成として、図９、図１０、図１１のようにすることが出来る。図９において、１１は台座である。１２は支柱で鎖１５が挿入される穴１２ａが貫通している。１３は先端にクッション１４を有するストップ棒。１３ａはストップ棒１３が回動出来るように支持するために設けられた支軸。１４ａはクッション１４の先端。１５は金属等の玉をワイヤーで繋いだ鎖。１６は引止具。１６ａは引止具１６の先端の鍵部で内側に向かって屈曲している。１６ｂは引止具１６に取り付けられた操作棒。１７は引止具１６と鎖１５を結合している自在に屈曲が可能で強い素材の布状体。１８は支柱１２に取り付けられ、鎖１５を引っかけて固定する輪鍵である。
【００３７】
以下、使用方法を述べる。図１０においてまずストップ棒１３を上方矢印Ｒ方向に回動させ、ドア６と床７の隙間寸法Ｓ２の間に引止具１６をドアの閉まる方向の裏面から差し入れる。そして引止具１６の線たんの鍵１６ａをドアの閉まる方向の前面に引っかける。そのとき引止具１６に取り付けられた操作棒１６ｂをもってするとやりよい。
【００３８】
そして引止具１６をドア６に引っかけたあと、鎖１５の支柱１２の穴１２ａに挿入された後方の部位１５ａを持ってドア６の後方に引き、鎖１５の支柱１２前面の長さ１５Ｌを調節する。このとき、布状体１７は鎖１５に引かれて、自在に上方に屈曲し、ドア６の幅寸法６Ｌに合わせた長さで折れ曲がり、折れ曲がり点１７Ｔが生じる。
【００３９】
図１１において、鎖１５の支柱１２前面の長さ１５Ｌと布状体１７の上方に屈曲した長さ１７Ｌを合わせた長さを、鎖１５ａ部分を引くことで調整し、布状体１７の折れ曲がり点１７Ｔがストップ棒１３の先端１３ａの垂直真下かややそれより支柱１２方向に寄った状態になったら、鎖１５をそのまま張りつめた状態で、鎖１５ａ部分を輪鍵１８に引っかけて留める。そしてストップ棒１３を下方矢印Ｑ方向に回動させクッション１４の先端１４ａをドア６に密着させる。そうすると（実施の形態１）で示したようなドア６の閉まる矢印Ａ方向の力がドアストッパーに作用してドア６は係止される。
【００４０】
（実施の形態４）
この実施の形態のドアストッパーの特徴はドアの閉まる方向の前面とは逆の面に設置可能で、前面の通行者の眼に目立たない事にある。さらに設置しているドアストッパーそのものを隠して装飾し、眼につかなくする構成として図１２及び図１３のようにする事が出来る。図１２において、１９はドアストッパーで、２０はそれに被せる植木鉢状の装飾具である。装飾具２０はドアストッパーが隠れるための、収納部２１を形成する。２２は装飾具２０に形成された通常の植木鉢の内部である。
【００４１】
図１２において、ドア２３にドアストッパー１９を設置する。装飾具２０を、それに形成された収納部２１の中にドアストッパー１９が入るように、ドアストッパー１９に被せる。そして装飾具２０の植木鉢内部２２に花２４を飾る。そうすると、前面の通行者２５や通路の通行者２６の眼に入るドアストッパー１９の部位はドアを係止している引止具５の鍵部５ａのみであり、大変目立たなくなり、ドアストッパー１９でドアを係止しているとは理解されず、単なる装飾品と思われ美観を損ねない上、見た目に美しい。
【発明の効果】
本発明は、以上説明したように構成されているので、以下に記載されるような効果を有する。
【００４２】
ドアの閉じる方向の前面とは逆の面よりドアの引く力でドアを係止出来るため閉じる方向の前面を通行する人物の目に付きにくく、美観を損ねない。
【００４３】
ドアや壁面、床面に固定設置する必要がなく設置、撤去が容易である。したがって鉄やコンクリートなどの固い素材のドアの壁面、床面に、ねじ、ボルト等で困難な設置をする必要はなく、また傷つけたくない高価なドアなどに固定設置して傷や痕をつけることもない。
【００４４】
移動して設置可能なので、壁面とドアに鍵と輪を対にして固定設置して牽引するというようなドアを一定の幅に開けないと係止出来ないものでなく、任意の間隔の幅でドアを係止できる。
【００４５】
ドアストッパーの上に装飾具を被せる事が出来、ドアストッパー自体を隠して、装飾品のように見せ、美観を損ねないだけでなく、見た目にドアストッパーと気づかれない。
【図面の簡単な説明】
【図１】本発明のドアストッパー基本原理を示す構成の側面図である。
【図２】本発明のドアストッパーがドアを係止する基本原理を表す側面図である。
【図３】本発明のドアストッパーがドアを係止する基本原理の別の一例を表す側面図である。
【図４】本発明のドアストッパーがドアを係止出来なくなる基本原理を表す側面図である。
【図５】本発明のドアストッパーがドアを実際に係止するための構成を表した側面図である。
【図６】本発明のドアストッパーがドアを実際に係止するための構成を表した斜面図である。
【図７】本発明のドアストッパードアを実際に係止する手順の側面図である。
【図８】本発明のドアストッパーがドアを実際に係止した側面図である。
【図９】本発明のドアストッパーのもう一つの実施例を示す斜面図である。
【図１０】本発明のドアストッパーのもう一つの実施例を示す側面図である。
【図１１】本発明のドアストッパーのもう一つの実施例を示す側面図である。
【図１２】本発明のドアストッパーとそれに被せる装飾具の斜面図である。
【図１３】本発明のドアストッパーに装飾具を被せてドアを係止し、側の通行者の立場を見た俯瞰図である。
【符号の説明】
１、１１  台座
２、１２  支柱
３、１３  ストップ棒
４        保持棒
５、１６  引止具
６、２３  ドア
７        床
８、１４  クッション
９        調節ねじ
１０      小ねじ
１５      鎖
１７      布状体
１８      輪鍵
１９      ドアストッパー
２０      装飾具
２１      収納部
２２      植木鉢内部
２４      花
２５、２６人物
Ａ  ドアの閉まる方向を示す矢印
Ｂ、Ｃ、Ｄ、Ｆ、Ｇ  ドアストッパーにかかる力の方向を示す矢印
Ｅ  ドア６と保持棒３またはクッション８の先端との接点
Ｊ、Ｋ  支柱２の回動する方向を示す矢印
Ｌ、Ｒ、Ｑ  ストップ棒３の回動する方向を示す矢印
Ｍ、Ｐ、Ｑ  クッション８の回動する方向を示す矢印
Ｎ  保持棒４ｂが保持棒４ａの内部をスライドする方向を示す両矢印
Ｏ  保持棒４全体が回動する方向を示す両矢印
Ｕ、Ｗ  ドアストッパー全体が移動する方向を示す矢印
Ｖ  保持棒４と支柱２の間の角度
Ｔ  保持棒４と引止具５の接続点
４Ｌ  保持棒４の長さ
５Ｌ  引止具の先端の鍵部から接続点Ｔまでの長さ
６Ｌ  ドアの厚さ寸法
Ｓ１  台座１の底面から引止具５の上面までの距離
Ｓ２  床７からドア６の間の隙間寸法
【図１】
0003930204.tif 000002
【図２】
0003930204.tif 000003
【図３】
0003930204.tif 000004
【図４】
0003930204.tif 000005
【図５】
0003930204.tif 000006
【図６】
0003930204.tif 000007
【図７】
0003930204.tif 000008
【図８】
0003930204.tif 000009
【図９】
0003930204.tif 000010
【図１０】
0003930204.tif 000011
【図１１】
0003930204.tif 000012
【図１２】
0003930204.tif 000013
【図１３】
0003930204.tif 000014